(57)【要約】【課題】打撃プレートとボディを好ましい強度で結合できて、ゴルフクラブヘッドが打撃応力に耐え得る、ゴルフクラブヘッド構造を提供すること。【解決手段】ボディは、一側面に、第１のフレーム開口部および第２のフレーム開口部を備え、第１のフレーム開口部の断面形状はＣ字形状を呈し、打撃プレートはボディに対応するフレーム開口結合部およびフレーム開口凹所形成部を備えて形成され。フレーム開口結合部およびフレーム開口凹所形成部は第１のフレーム開口部および第２のフレーム開口部にそれぞれスナップ嵌合され、これにより打撃プレートをボディ内に固定する。【選択図】図２Ｂ
0003130300.tif 000002
【実用新案登録請求の範囲】
【請求項１】
ボディであって、前記ボディの一側面上に形成された第１のフレーム開口部および第２のフレーム開口部を有し、前記第１のフレーム開口部の断面はＣ字形状フレーム開口であるボディと、
前記ボディに対応して形成されているフレーム開口結合部およびフレーム開口凹所形成部を有する打撃プレートであって、前記フレーム開口結合部および前記フレーム開口凹所形成部は、前記第１のフレーム開口部および前記第２のフレーム開口部にそれぞれスナップ嵌合され、これにより前記打撃プレートを前記ボディ内に固定する打撃プレートとを具備する、
ゴルフクラブヘッド構造。
【請求項２】
前記ボディの前記第１のフレーム開口部と前記第２のフレーム開口部との間に、スナップ嵌合溝がさらに形成され、前記打撃プレートの前記フレーム開口結合部および前記フレーム開口凹所形成部に、相応してスナップ嵌合部が形成され、前記フレーム開口結合部および前記フレーム開口凹所形成部は前記第１のフレーム開口部および前記第２のフレーム開口部にそれぞれスナップ嵌合され、そして前記スナップ嵌合部は、前記スナップ嵌合溝にスナップ嵌合され、これにより前記打撃プレートを前記ボディ内に固定する、請求項１に記載のゴルフクラブヘッド構造。
【請求項３】
前記ボディの前記第１のフレーム開口部に、スナップ嵌合フランジがさらに形成され、前記打撃プレートの前記フレーム開口結合部の後側部に、相応してスナップ嵌合突出部が形成され、前記フレーム開口結合部および前記フレーム開口凹所形成部は、前記第１のフレーム開口部および前記第２のフレーム開口部にそれぞれスナップ嵌合され、そして前記スナップ嵌合突出部は、前記スナップ嵌合フランジにスナップ嵌合され、これにより前記打撃プレートを前記ボディ内に固定する、請求項１に記載のゴルフクラブヘッド構造。
【請求項４】
前記スナップ嵌合部は勾配を有する、請求項２に記載のゴルフクラブヘッド構造。
【請求項５】
前記スナップ嵌合突出部は勾配を有する、請求項３に記載のゴルフクラブヘッド構造。
【請求項６】
前記ボディの前記第１のフレーム開口部および前記第２のフレーム開口部は、さらに、前記第１のフレーム開口部にはスナップ嵌合フランジを、および前記第２のフレーム開口部にはスナップ嵌合凹所を、それぞれ備えて形成され、前記打撃プレートの前記フレーム開口結合部および前記フレーム開口凹所形成部は、さらに、前記フレーム開口結合部の後側部にはスナップ嵌合突出部に、および前記フレーム開口凹所形成部にはスナップ嵌合突起に、相応して形成され、前記フレーム開口結合部および前記フレーム開口凹所形成部は、前記第１のフレーム開口部および前記第２のフレーム開口部に、それぞれスナップ嵌合され、そして前記スナップ嵌合突出部および前記スナップ嵌合突起は、前記スナップ嵌合フランジおよび前記スナップ嵌合凹所にそれぞれスナップ嵌合され、これにより前記打撃プレートを前記ボディ内に固定する、請求項１に記載のゴルフクラブヘッド構造。
【請求項７】
前記打撃プレートは、機械的結合方式または接着方式によって前記ボディに結合される、請求項１に記載のゴルフクラブヘッド構造。
【請求項８】
前記ボディおよび前記打撃プレートは、異なる材料によって作成される、請求項１に記載のゴルフクラブヘッド構造。
【請求項９】
前記ボディおよび前記打撃プレートは、同一の材料によって作成される、請求項１に記載のゴルフクラブヘッド構造。
【請求項１０】
前記異なる材料は、発泡多孔性材料を含む、請求項８に記載のゴルフクラブヘッド構造。
【請求項１１】
前記発泡多孔性材料は、銅、アルミニウム、アルミニウム合金、チタン、チタン合金、銅−タングステン合金、アルミニウム−マグネシウム合金、銅−モリブデン合金、または金属ベースの超高熱伝導複合材料合金を含む、請求項１０に記載のゴルフクラブヘッド構造。
【請求項１２】
前記発泡多孔性材料の密度は、０．２から３ｇ／ｃｍ3である、請求項１０に記載のゴルフクラブヘッド構造。
【請求項１３】
前記発泡多孔性材料は、クラッド層をさらに備える、請求項１０に記載のゴルフクラブヘッド構造。
【請求項１４】
前記クラッド層のクラッディング材料は、カーボンファイバ、チタン合金、アルミニウム合金、マグネシウム合金、ポリウレタン（ＰＵ）、熱可塑性ポリウレタン（ＴＰＵ）、タングステンゴム、またはプラスチックを含む、請求項１０に記載のゴルフクラブヘッド構造。
【請求項１５】
前記同一の材料は、チタン合金、ステンレススチール、鉄、アルミニウム、マンガン、またはダクタイル鋳鉄材料を含む、請求項９に記載のゴルフクラブヘッド構造。
【考案の詳細な説明】
【技術分野】
【０００１】
本考案はゴルフクラブヘッド構造に関し、より詳細には、好ましい強度を備え且つ種々の材料により作成される結合構造を提供するためのゴルフクラブヘッド構造に関するものである。
【背景技術】
【０００２】
従来のゴルフクラブヘッドの構成においては、打撃プレートは、ほとんどの場合、埋め込みまたは溶接方式によって結合され、そしてそれは多くの不都合を有しており、例えば、埋め込みプロセスは、結果として、容易に打撃プレートの変形を生じる。
もしも、異なる材料によって作成されたクラブヘッドボディと打撃プレートが、一緒に溶接されるならば、不充分な溶接適合性の問題が生じる。
もしも使用される溶接プロセスが、ハードな溶接または高エネルギ溶接（例えば、レーザ溶接、プラズマ溶接）であるならば、酸化によるさびを発生することから金属面を保護するために、真空ポンプ引きまたは不活性ガス処理を行うのに多くの時間がかかる。
【０００３】
ゴルフクラブヘッドの打撃プレートの結合構成の欠陥を除去する目的で、常温のもとで高強度樹脂を直接的に用いる接着結合技術が従来の技術において展開されている。
図１を参照すると、ゴルフクラブヘッドは、クラブヘッドボディＰ１０と打撃プレートＰ２０とを含んでいる。
クラブヘッドボディＰ１０は、打撃プレートＰ２０を収容するためのフレーム開口Ｐ１１を形成する凹所が設けられており、且つ打撃プレートＰ２０の外側周縁部Ｐ２１および結合部Ｐ２２は、室温のもとで組み立てを素速く完了するために、フレーム開口Ｐ１１の内側周縁部Ｐ１１１および結合部Ｐ１１２に接着され、これにより従来の複合打撃プレート構造を達成する。
【０００４】
しかしながら、クラブヘッドボディＰ１０と打撃プレートＰ２０の接着構成は製造プロセスを速めるが、高強度樹脂接着剤についての接着強度の上側限界によって制限され、またクラブヘッドボディＰ１０のフレーム開口Ｐ１１と打撃プレートＰ２０とは何ら特別な結合構造設計を持っていないため、クラブヘッドボディＰ１０を打撃プレートＰ２０と結合するときに、打撃応力に耐えるために充分な結合強度を提供することはできない。
従来の技術において、クラブヘッドボディＰ１０と打撃プレートＰ２０とは、ほとんどの場合、同一の材料によって作成されており、それはもう一つの不都合である。
【０００５】
それゆえ、従来のゴルフクラブヘッドのクラブヘッドボディと打撃プレートとは、何ら特別な結合構造設計を有していないから、結合強度は望ましいものではなく、打撃応力に効果的に耐えることはできず、またそれらの両方が同一の材料によって作成されるという事実によっても制限される。
その結果、結合強度を増大させ且つゴルフクラブヘッドの耐用年数を長くするために特別な結合構造を有するゴルフクラブヘッド構造を再設計することが、この分野における研究および開発についての課題となっている。
【考案の開示】
【考案が解決しようとする課題】
【０００６】
本考案は上記した従来の問題点に鑑みて成されたもので、その目的とするところは、強度が望ましくなく、打撃応力に効果的に耐えることができないという、従来の結合構造の問題を解決し、且つ従来のゴルフクラブヘッドのほとんどが同一の材料によって製作されていることによって制限されているという、従来のゴルフクラブヘッド構造の欠陥を除去もするための、ゴルフクラブヘッド構造を提供することにある。
【課題を解決するための手段】
【０００７】
上述の目的を達成するために、本考案は、ボディと打撃プレートとを備えるゴルフクラブヘッド構造を提供する。ボディは、一側面に、第１のフレーム開口部および第２のフレーム開口部を有する。第１のフレーム開口部の断面は、Ｃ字形状フレーム開口である。さらに、打撃プレートは、ボディに対応するフレーム開口結合部およびフレーム開口凹所形成部を有する。フレーム開口結合部およびフレーム開口凹所形成部は第１のフレーム開口部および第２のフレーム開口部にそれぞれスナップ嵌合され、これにより打撃プレートをボディ内に固定する。
【０００８】
すなわち、本願の第１考案は、ボディであって、前記ボディの一側面上に形成された第１のフレーム開口部および第２のフレーム開口部を有し、前記第１のフレーム開口部の断面はＣ字形状フレーム開口であるボディと、前記ボディに対応して形成されているフレーム開口結合部およびフレーム開口凹所形成部を有する打撃プレートであって、前記フレーム開口結合部および前記フレーム開口凹所形成部は、前記第１のフレーム開口部および前記第２のフレーム開口部にそれぞれスナップ嵌合され、これにより前記打撃プレートを前記ボディ内に固定する打撃プレートとを具備する、ゴルフクラブヘッド構造を提供する。
本願の第２考案は、前記ボディの前記第１のフレーム開口部と前記第２のフレーム開口部との間に、スナップ嵌合溝がさらに形成され、前記打撃プレートの前記フレーム開口結合部および前記フレーム開口凹所形成部に、相応してスナップ嵌合部が形成され、前記フレーム開口結合部および前記フレーム開口凹所形成部は前記第１のフレーム開口部および前記第２のフレーム開口部にそれぞれスナップ嵌合され、そして前記スナップ嵌合部は、前記スナップ嵌合溝にスナップ嵌合され、これにより前記打撃プレートを前記ボディ内に固定する、前記第１考案に記載のゴルフクラブヘッド構造を提供する。
本願の第３考案は、前記ボディの前記第１のフレーム開口部に、スナップ嵌合フランジがさらに形成され、前記打撃プレートの前記フレーム開口結合部の後側部に、相応してスナップ嵌合突出部が形成され、前記フレーム開口結合部および前記フレーム開口凹所形成部は、前記第１のフレーム開口部および前記第２のフレーム開口部にそれぞれスナップ嵌合され、そして前記スナップ嵌合突出部は、前記スナップ嵌合フランジにスナップ嵌合され、これにより前記打撃プレートを前記ボディ内に固定する、前記第１考案に記載のゴルフクラブヘッド構造を提供する。
本願の第４考案は、前記スナップ嵌合部は勾配を有する、前記第２考案に記載のゴルフクラブヘッド構造を提供する。
本願の第５考案は、前記スナップ嵌合突出部は勾配を有する、、前記第３考案に記載のゴルフクラブヘッド構造を提供する。
本願の第６考案は、前記ボディの前記第１のフレーム開口部および前記第２のフレーム開口部は、さらに、前記第１のフレーム開口部にはスナップ嵌合フランジを、および前記第２のフレーム開口部にはスナップ嵌合凹所を、それぞれ備えて形成され、前記打撃プレートの前記フレーム開口結合部および前記フレーム開口凹所形成部は、さらに、前記フレーム開口結合部の後側部にはスナップ嵌合突出部に、および前記フレーム開口凹所形成部にはスナップ嵌合突起に、相応して形成され、前記フレーム開口結合部および前記フレーム開口凹所形成部は、前記第１のフレーム開口部および前記第２のフレーム開口部に、それぞれスナップ嵌合され、そして前記スナップ嵌合突出部および前記スナップ嵌合突起は、前記スナップ嵌合フランジおよび前記スナップ嵌合凹所にそれぞれスナップ嵌合され、これにより前記打撃プレートを前記ボディ内に固定する、前記第１考案に記載のゴルフクラブヘッド構造を提供する。
本願の第７考案は、前記打撃プレートは、機械的結合方式または接着方式によって前記ボディに結合される、前記第１考案に記載のゴルフクラブヘッド構造を提供する。
本願の第８考案は、前記ボディおよび前記打撃プレートは、異なる材料によって作成される、前記第１考案に記載のゴルフクラブヘッド構造を提供する。
本願の第９考案は、前記ボディおよび前記打撃プレートは、同一の材料によって作成される、前記第１考案に記載のゴルフクラブヘッド構造を提供する。
本願の第１０考案は、前記異なる材料は、発泡多孔性材料を含む、前記第８考案に記載のゴルフクラブヘッド構造を提供する。
本願の第１１考案は、前記発泡多孔性材料は、銅、アルミニウム、アルミニウム合金、チタン、チタン合金、銅−タングステン合金、アルミニウム−マグネシウム合金、銅−モリブデン合金、または金属ベースの超高熱伝導複合材料合金を含む、前記第１０考案に記載のゴルフクラブヘッド構造を提供する。
本願の第１２考案は、前記発泡多孔性材料の密度は、０．２から３ｇ／ｃｍ3である、前記第１０考案に記載のゴルフクラブヘッド構造を提供する。
本願の第１３考案は、前記発泡多孔性材料は、クラッド層をさらに備える、前記第１０考案に記載のゴルフクラブヘッド構造を提供する。
本願の第１４考案は、前記クラッド層のクラッディング材料は、カーボンファイバ、チタン合金、アルミニウム合金、マグネシウム合金、ポリウレタン（ＰＵ）、熱可塑性ポリウレタン（ＴＰＵ）、タングステンゴム、またはプラスチックを含む、前記第１０考案に記載のゴルフクラブヘッド構造を提供する。
本願の第１５考案は、前記同一の材料は、チタン合金、ステンレススチール、鉄、アルミニウム、マンガン、またはダクタイル鋳鉄材料を含む、前記第９考案に記載のゴルフクラブヘッド構造を提供する。
【考案の効果】
【０００９】
本考案のゴルフクラブヘッド構造を実装することによって、少なくとも次の機能が達成され得る。
第１に、本考案はゴルフクラブヘッド構造を提供し、そして当該ゴルフクラブヘッド構造を実装することによって、種々の異なる材料が使用され且つ共に結合され、そして好ましい強度を備える結合構造が提供され、これによりゴルフクラブヘッドが打撃応力に耐える効果を向上させる。打撃プレートとボディはしっかりと結合されるため、高い抗ティーオフ性を備えるゴルフクラブヘッドが得られる。
【００１０】
第２に、本考案はゴルフクラブヘッド構造を提供し、そして当該ゴルフクラブヘッド構造を使用することによって、従来の溶接処理に起因する熱影響領域の欠陥およびパネルの硬度の不均一性が回避される。本考案においては、従来の溶接プロセスによっては達成され得ない形成プロセスが、打撃プレートの背後で行われる。
【００１１】
本考案の目的、構造的の特徴、および機能をさらに理解するために、詳細な説明が以下に関連する実施の形態および添付図面を通して与えられる。
本考案の適用可能性のさらなる範囲は、以下に与えられる詳細な説明から明らかになるであろう。しかしながら、考案の精神および範囲内において種々の変更および修正がこの詳細な説明から当業者にとって明らかになるであろうから、詳細な説明および特定の例は、本考案の望ましい実施の形態を示すとはいえ、説明のみのために与えられていることは理解されなければならない。
【考案を実施するための最良の形態】
【００１２】
本考案は、説明のみのために以下に与えられる。それゆえ本考案にとって限定的ではない詳細な説明から、より充分に理解されるであろう。
【００１３】
まず、図２Ａおよび図２Ｂを参照すると、本考案は高比重複合加重ボディを有するゴルフクラブヘッドを提供する。ゴルフクラブヘッド１は、ボディ１０と打撃プレート２０を含んでいる。
【００１４】
図２Ａおよび図２Ｂを参照して、本考案に係るゴルフクラブヘッド構造を説明する。
ゴルフクラブヘッド１の第１の形態においては、ボディ１０は、そこに形成された第１のフレーム開口部１２と第２のフレーム開口部１３とを備える側面１１を有し、そして第１のフレーム開口部１２の断面形状は、略Ｃ字状を呈していて、Ｃ字状のフレーム開口を形成している。
【００１５】
打撃プレート２０は、ボディ１０に対応するフレーム開口結合部２１とフレーム開口凹所形成部２２とを備えて形成されている。
フレーム開口結合部２１は、第１のフレーム開口部１２にスナップ嵌合（圧入嵌合）され、そしてフレーム開口凹所形成部２２は、第２のフレーム開口部１３にスナップ嵌合されて、これにより打撃プレート２０をボディ１０内に固定し、ゴルフクラブヘッド１を完成する。
【００１６】
さらに、図３Ａおよび図３Ｂを参照して、本考案に係るゴルフクラブヘッド構造を説明する。
ゴルフクラブヘッド１の第２の形態において、ボディ１０は、同様に、そこに形成された第１のフレーム開口部１２と第２のフレーム開口部１３とを備える側面１１を有する。
そして第１のフレーム開口部１２の断面は、Ｃ字形状のフレーム開口である。
スナップ嵌合溝１４が、ボディ１０の第１のフレーム開口部１２と第２のフレーム開口部１３との間に、さらに形成されている。
打撃プレート２０は、ボディ１０に対応するフレーム開口結合部２１とフレーム開口凹所形成部２２とを備えて形成されるだけでなく、相応してスナップ嵌合部２３に形成されている。
スナップ嵌合部２３は、フレーム開口結合部２１とフレーム開口凹所形成部２２が第１のフレーム開口部１２と第２のフレーム開口部１３にそれぞれスナップ嵌合されるように、勾配を有しており、そしてスナップ嵌合部２３は、スナップ嵌合溝１４にスナップ嵌合され、これにより打撃プレート２０をボディ１０内に固定し、ゴルフクラブヘッド１を完成する。
【００１７】
さらに、図４Ａおよび図４Ｂを参照して、本考案に係るゴルフクラブヘッド構造を説明する。
ゴルフクラブヘッド１の第３の形態において、ボディ１０は、同様に、そこに形成された第１のフレーム開口部１２と第２のフレーム開口部１３とを備える側面１１を有し、そして第１のフレーム開口部１２の断面は、Ｃ字形状のフレーム開口である。
【００１８】
ボディ１０の第１のフレーム開口部１２は、さらにスナップ嵌合フランジ１５を備えて形成されている。打撃プレート２０は、ボディ１０に対応するフレーム開口結合部２１とフレーム開口凹所形成部２２とを備えて形成されるだけでなく、フレーム開口結合部２１の裏側にスナップ嵌合突出部２４をも備えて、フレーム開口結合部２１とフレーム開口凹所形成部２２が第１のフレーム開口部１２と第２のフレーム開口部１３にそれぞれスナップ嵌合され、そしてスナップ嵌合突出部２４がスナップ嵌合フランジ１５にスナップ嵌合されるように形成されており、これにより打撃プレート２０をボディ１０内に固定し、ゴルフクラブヘッド１を完成する。
【００１９】
加えて、図５Ａおよび図５Ｂを参照して、本考案に係るゴルフクラブヘッド構造を説明する。
ゴルフクラブヘッド１の第４の形態においては、ゴルフクラブヘッド１の第３の形態と同様であるが、スナップ嵌合突出部２４′が勾配を有する。
確かに、フレーム開口結合部２１とフレーム開口凹所形成部２２は、第１のフレーム開口部１２と第２のフレーム開口部１３にそれぞれスナップ嵌合され、そしてスナップ嵌合突出部２４′は、スナップ嵌合フランジ１５にスナップ嵌合されて、これにより打撃プレート２０をボディ１０内に固定し、ゴルフクラブヘッド１を完成する。
【００２０】
最後に、図６Ａおよび図６Ｂを参照して、本考案に係るゴルフクラブヘッド構造を説明する。
ゴルフクラブヘッド１の第５の形態において、ボディ１０は、同様に、そこに形成された第１のフレーム開口部１２と第２のフレーム開口部１３とを備える側面１１を有し、そして第１のフレーム開口部１２の断面は、Ｃ字形状のフレーム開口である。
【００２１】
ボディ１０の第１のフレーム開口部１２および第２のフレーム開口部１３は、それぞれ、第１のフレーム開口部１２にスナップ嵌合フランジ１５を、そして第２のフレーム開口部１３にスナップ嵌合凹所１６を備えて形成されている。
打撃プレート２０は、ボディ１０に対応するフレーム開口結合部２１とフレーム開口凹所形成部２２とを備えて形成される。
【００２２】
フレーム開口結合部２１とフレーム開口凹所形成部２２は、フレーム開口結合部２１の裏側にスナップ嵌合突出部２４に、そしてフレーム開口凹所形成部２２上にスナップ嵌合突起２５に、それぞれ相応して形成されている。
フレーム開口結合部２１とフレーム開口凹所形成部２２は、第１のフレーム開口部１２と第２のフレーム開口部１３にそれぞれスナップ嵌合され、そしてスナップ嵌合突出部２４およびスナップ嵌合突起２５は、スナップ嵌合フランジ１５およびスナップ嵌合凹所１６にそれぞれスナップ嵌合され、これにより打撃プレート２０をボディ１０内に固定し、ゴルフクラブヘッド１を完成する。
【００２３】
ゴルフクラブヘッド１の打撃プレート２０とボディ１０は、機械的結合方式または接着方式によって結合される。
さらに、ボディ１０および打撃プレート２０は、異なる材料または同一の材料で作成される。
【００２４】
異なる材料は、０．２から３ｇ／ｃｍ3の密度を有する発泡多孔性材料を含む。
【００２５】
発泡多孔性材料は、銅、アルミニウム、アルミニウム合金、チタン、チタン合金、銅−タングステン合金、アルミニウム−マグネシウム合金、銅−モリブデン合金、または金属ベースの超高熱伝導複合材料合金を含む。
【００２６】
また、発泡多孔性材料は、クラッド層をさらに備えており、そして該クラッド層のクラッディング材料は、カーボンファイバ、チタン合金、アルミニウム合金、マグネシウム合金、ポリウレタン（ＰＵ）、熱可塑性ポリウレタン（ＴＰＵ）、タングステンゴム、またはプラスチックを含む。加えて、同一の材料は、チタン合金、ステンレススチール、鉄、アルミニウム、マンガン、またはダクタイル鋳鉄材料を含む。
【００２７】
本考案は以上説明した実施の形態に限定されるものではなく、本考案の精神および範囲から逸脱しない当業者が適宜行なう変更や置換が本考案に含まれることは勿論である。
【図面の簡単な説明】
【００２８】
【図１】従来のゴルフクラブヘッド構造の概略図である。
【図２Ａ】本考案のゴルフクラブヘッド構造の第１の形態の概略図である。
【図２Ｂ】組み立て後の図２Ａの本考案のゴルフクラブヘッド構造の第１の形態の概略的断面図である。
【図３Ａ】本考案のゴルフクラブヘッド構造の第２の形態の概略図である。
【図３Ｂ】組み立て後の図３Ａの本考案のゴルフクラブヘッド構造の第２の形態の概略的断面図である。
【図４Ａ】本考案のゴルフクラブヘッド構造の第３の形態の概略図である。
【図４Ｂ】組み立て後の図４Ａの本考案のゴルフクラブヘッド構造の第３の形態の概略的断面図である。
【図５Ａ】本考案のゴルフクラブヘッド構造の第４の形態の概略図である。
【図５Ｂ】組み立て後の図５Ａの本考案のゴルフクラブヘッド構造の第４の形態の概略的断面図である。
【図６Ａ】本考案のゴルフクラブヘッド構造の第５の形態の概略図である。
【図６Ｂ】組み立て後の図６Ａの本考案のゴルフクラブヘッド構造の第５の形態の概略的断面図である。
【図１】
0003130300.tif 000003
【図２Ａ】
0003130300.tif 000004
【図２Ｂ】
0003130300.tif 000005
【図３Ａ】
0003130300.tif 000006
【図３Ｂ】
0003130300.tif 000007
【図４Ａ】
0003130300.tif 000008
【図４Ｂ】
0003130300.tif 000009
【図５Ａ】
0003130300.tif 000010
【図５Ｂ】
0003130300.tif 000011
【図６Ａ】
0003130300.tif 000012
【図６Ｂ】
0003130300.tif 000013